(57)【要約】【課題】  記録装置に記録された番組の関連番組を提示し、その番組情報から希望関連番組の予約録画を可能にした番組録画予約装置を提供する。【解決手段】  放送受信信号もしくは通信回線経由の情報信号により提供される番組及び番組情報を記録する記録手段１１と、記録手段１１に記録された番組のの再生視聴時に、その番組の関連番組を過去の番組の関連番組もしくは現在の番組の番組情報から選択抽出する番組抽出手段３と、番組抽出手段３で選択抽出した番組及び番組情報を表示する表示手段９と、表示手段９に表示した番組の中から希望番組を選択する選択手段１３と、選択手段１３で選択した番組の録画設定を予約する録画予約手段１、１２を備える。【選択図】  図１
2006174367.tif 000002
【特許請求の範囲】
【請求項１】
放送受信信号もしくは通信回線経由の情報信号によって提供される番組及び番組情報を記録する記録手段と、前記記録手段に記録されている番組の再生視聴時に、再生視聴中の番組の関連番組を過去の番組の関連番組もしくは現在の番組の番組情報から選択抽出する番組抽出手段と、前記番組抽出手段で選択抽出した番組及び番組情報を表示する表示手段と、前記表示手段に表示した番組の中から希望番組を選択する選択手段と、前記選択手段で選択した番組の録画設定を予約する録画予約手段とを備えていることを特徴とする番組録画予約装置。
【請求項２】
前記番組抽出手段は、再生中の番組と同一番組名の番組、同一ジャンルの番組、同一シリーズの番組、同一時間帯に放送される番組、同一出演者が出演する番組のいずれかを選択抽出するものであることを特徴とする請求項１に記載の番組録画予約装置。
【請求項３】
前記番組抽出手段は、過去の番組の関連番組だけでなく、未来の番組の関連番組を選択抽出し、前記表示手段は、過去の番組及びその番組情報と未来の番組及びその番組情報とを明示的に区別可能に表示することを特徴とする請求項１もしくは２に記載の番組録画予約装置。
【請求項４】
放送受信信号もしくは通信回線経由の情報信号によって提供される番組及び番組情報を記録した記録手段と、番組の関連番組を選択抽出する番組抽出手段と、番組及び番組情報を表示する表示手段と、操作により希望番組を選択する選択手段と、番組の録画設定を予約する録画予約手段とを用い、前記記録手段に記録されている番組を選択して再生視聴する第１ステップと、前記番組抽出手段により再生視聴中の番組の関連番組を過去の番組の関連番組もしくは現在の番組の番組情報から選択抽出する第２ステップと、選択抽出した番組を番組情報とともに前記表示手段に表示する第３ステップと、表示された番組の中の希望番組を前記選択手段により選択する第４ステップと、前記録画予約手段により選択した番組の録画設定を予約する第５ステップとを経て番組録画の予約が行われることを特徴とする番組録画予約方法。
【請求項５】
前記番組抽出手段は、再生中の番組と同一番組名の番組、同一ジャンルの番組、同一シリーズの番組、同一時間帯に放送される番組、同一出演者が出演する番組のいずれかを選択抽出するものであることを特徴とする請求項４に記載の番組録画予約方法。
【請求項６】
前記番組抽出手段は、過去の番組の関連番組だけでなく、未来の番組の関連番組を選択抽出し、前記表示手段は、過去の番組及びその番組情報と未来の番組及びその番組情報とを明示的に区別可能に表示することを特徴とする請求項４もしくは５に記載の番組録画予約方法。
【発明の詳細な説明】
【技術分野】
【０００１】
本発明は、記録装置に記録した番組を再生する際に、その番組に関連した番組を表示することにより、利用者がその番組に関連する番組の録画予約を容易に行うことを可能にする番組録画予約装置及び番組録画予約方法に関する。
【背景技術】
【０００２】
従来、利用者は、視聴したい番組を録画予約する場合、新聞、雑誌、Ｗｅｂサイト等に記載されている番組表もしくは電子番組表（ＥＰＧ）を見て、希望する番組を個々に検索し、検索した番組を所定の操作によってその番組の録画予約を行うようにしていた。
【０００３】
ところで、このような番組の録画予約は、番組の録画予約を所定の操作によって行うものであるため、利用者の操作時の負担が大きくなる。そこで、近年になって、番組の録画予約時の操作負担を軽減するため、種々の手段が提案されるようになり、その中に、特開２００２−１９９２９４号公報、特開２００３−１３４４２８号公報、特開２００３−１４３５１７号公報に開示の手段がある。
【０００４】
まず、特開２００２−１９９２９４号公報に開示の手段は、利用者が録画予約を希望する番組を指定すると、指定した希望録画予約番組の番組名に一致する番組名を持つ関連番組を検索して表示し、指定された希望録画予約番組とともに、検索により得られた関連番組をそれぞれ録画予約するようにしたものである。
【０００５】
次に、特開２００３−１３４４２８号公報に開示の手段は、放送中の番組を視聴している際に、視聴中の番組に関連する番組がハードディスクドライブ（ＨＤＤ）内に記録されているか否かを検索し、利用者に既に記録済の関連番組が存在することを教えるようにしたものであり、この他にも、過去に録画予約を希望した番組もしくは視聴した番組に基づいてこれから記録する番組を推定し、その番組を自動的に録画するようにしたものである。
【０００６】
次いで、特開２００３−１４３５１７号公報に開示の手段は、放送中の番組を視聴している際に、視聴中の番組の関連番組を番組情報の検索によって表示し、次回、検索した関連番組が放送された際に、その番組の録画予約を行うようにしたものである。
【特許文献１】特開２００２−１９９２９４号公報
【特許文献２】特開２００３−１３４４２８号公報
【特許文献３】特開２００３−１４３５１７号公報
【発明の開示】
【発明が解決しようとする課題】
【０００７】
前記特開２００２−１９９２９４号公報に開示の手段は、利用者が自ら録画予約を希望する番組予約を指定し、指定した希望録画予約番組の録画をしたときだけ、その希望録画予約番組の関連番組を予約することができるもので、利用者が記録装置に記録されている番組を視聴中には、その番組の関連番組を録画予約することができないものである。
【０００８】
また、前記特開２００３−１３４４２８号公報に開示の手段は、ハードディスクドライブ（ＨＤＤ）内に記録されている番組からその番組の関連番組の自動予約録画を行うものであるため、利用者が希望しない番組まで記録されてしまうことがあったり、利用者がハードディスクドライブ（ＨＤＤ）内に記録されている番組を視聴している際に、希望録画予約番組があったとしても、自分の意思で簡単にその希望録画予約番組を録画予約することはできないものであったし、さらに、利用者が希望関連番組を確実に録画予約して自動録画を行えるという保証がないため、利用者がその希望関連番組を確実に録画予約したい場合、自らの操作によって希望関連番組の録画予約を行わねばならなくなる。
【０００９】
さらに、前記特開２００３−１４３５１７号公報に開示の手段は、利用者が視聴中の放送番組についての関連番組の録画予約だけが行われるもので、記録装置に記録されている番組の視聴中に、その番組の関連番組を録画予約することができないものである。
【００１０】
本発明は、このような技術的背景に鑑みてなされたもので、その目的は、記録装置に記録されている番組の関連番組についての番組情報を提示し、利用者がその番組情報から容易かつ確実に希望する関連番組の録画予約をすることを可能にした番組録画予約装置及び番組録画予約方法を提供することにある。
【課題を解決するための手段】
【００１１】
前記目的を達成するために、本発明による番組録画予約装置は、放送受信信号もしくは通信回線経由の情報信号によって提供される番組及び番組情報を記録する記録手段と、記録手段に記録されている番組の再生視聴時に、再生視聴中の番組の関連番組を過去の番組の関連番組もしくは現在の番組の番組情報から選択抽出する番組抽出手段と、番組抽出手段で選択抽出した番組及び番組情報を表示する表示手段と、表示手段に表示した番組の中から希望番組を選択する選択手段と、選択手段で選択した番組の録画設定を予約する録画予約手段とを備えた第１の構成を具備している。
【００１２】
この場合、前記第１の構成において、番組抽出手段は、再生中の番組と同一番組名の番組、同一ジャンルの番組、同一シリーズの番組、同一時間帯に放送される番組、同一出演者が出演する番組のいずれかを選択抽出するものであることが好適である。
【００１３】
また、前記第１の構成において、番組抽出手段は、過去の番組の関連番組だけでなく、未来の番組の関連番組を選択抽出するものであり、表示手段は、過去の番組及びその番組情報と未来の番組及びその番組情報とを明示的に区別可能に表示するものであることが好適である。
【００１４】
前記目的を達成するために、本発明による番組録画予約方法は、放送受信信号もしくは通信回線経由の情報信号によって提供される番組及び番組情報を記録した記録手段と、番組の関連番組を選択抽出する番組抽出手段と、番組及び番組情報を表示する表示手段と、操作により希望番組を選択する選択手段と、番組の録画設定を予約する録画予約手段とを用い、記録手段に記録されている番組を選択して再生視聴する第１ステップと、番組抽出手段により再生視聴中の番組の関連番組を過去の番組の関連番組もしくは現在の番組の番組情報から選択抽出する第２ステップと、選択抽出した番組を番組情報とともに表示手段に表示する第３ステップと、表示された番組の中の希望番組を選択手段により選択する第４ステップと、録画予約手段により選択した番組の録画設定を予約する第５ステップとを経て番組録画の予約が行われる第２の構成を具備している。
【００１５】
この場合、前記第２の構成において、番組抽出手段は、再生中の番組と同一番組名の番組、同一ジャンルの番組、同一シリーズの番組、同一時間帯に放送される番組、同一出演者が出演する番組のいずれかを選択抽出するものであることが好適である。
【００１６】
また、前記第２の構成において、番組抽出手段は、過去の番組の関連番組だけでなく、未来の番組の関連番組を選択抽出するものであり、表示手段は、過去の番組及びその番組情報と未来の番組及びその番組情報とを明示的に区別可能に表示するものであることが好適である。
【発明の効果】
【００１７】
以上のように、本発明の番組録画予約装置及び番組録画予約方法によれば、記録装置に記録されている番組の再生視聴中に、その番組の関連番組についての番組情報を表示するようにしたので、利用者がキーワード入力や電子プログラムガイド（ＥＰＧ）検索をすることなく、表示された番組情報の内容から希望番組を選択すれば、関連番組の録画予約を簡易に行うことができるとともに、利用者自身が録画予約の指定を行うものであるため、利用者の希望しない番組を記録してしまうことがなくなり、記録装置を有効活用できるとともに、今後放送される予定の番組だけでなく、過去に放送された番組の関連番組の番組情報も表示することができるので、利用者が希望する番組の録画予約を容易に認識できるという効果がある。
【発明を実施するための最良の形態】
【００１８】
以下、図面を参照して、本発明の実施の形態について説明する。
【００１９】
図１は、本発明に係る番組録画予約装置の第１の実施の形態の要部構成を示すブロック図である。
【００２０】
図１に示されるように、この実施の形態による番組録画予約装置は、放送受信信号供給ライン１と、デジタル放送復調部２と、制御部（ＣＰＵ）３と、多重信号分離部４と、映像信号複号部５と、音声信号複号部６と、オンスクリーン表示信号生成部（ＯＳＤ生成部）７と、映像信号合成部８と、画像表示部９と、音声再生部１０と、記録装置１１と、録画予約メモリ１２と、リモコン装置１３とを備えている。
【００２１】
そして、デジタル放送復調部２は、入力端が放送受信信号供給ライン１に接続され、出力端が多重信号分離部４の入力端に接続され、制御端が制御部３に接続される。多重信号分離部４は、映像信号出力端が映像信号複号部５の入力端に接続され、音声信号出力端が音声信号複号部６の入力端に接続され、２つの制御端が制御部３に接続され、記録端が記録装置１１に接続される。映像信号複号部５は、出力端が映像信号合成部８の第１入力端に接続される。音声信号複号部６は、出力端が音声再生部１０に接続される。オンスクリーン表示信号生成部７は、入力端が制御部３に接続され、出力端が映像信号合成部８の第２入力端に接続される。映像信号合成部８は、出力端が画像表示部９に接続され、記録装置１１は、制御部３に接続される。録画予約メモリ１２は、制御部３に接続され、リモコン装置１３は、制御部３に接続される。
【００２２】
この場合、デジタル放送復調部２は、放送受信信号供給ライン１を通してアンテナやケーブル等で受信したデジタル放送受信信号が入力される。リモコン装置１３は、利用者の入力操作によって選局信号が形成され、その選局信号が制御部３に伝送供給される。制御部３は、供給された選局信号と合致するチャネルＩＤを発生し、そのチャネルＩＤをデジタル放送復調部２に供給する。デジタル放送復調部２は、制御部３から供給されたチャネルＩＤに対応する放送チャネルの受信信号を復調し、復調した同チャネルの番組情報、映像信号及び音声信号を多重化したトランスポート・ストリーム（ＴＳ）を形成し、形成したトランスポート・ストリームを多重信号分離部４に供給する。
【００２３】
多重信号分離部４は、トランスポート・ストリームを受けると、そのトランスポート・ストリームからセクション情報、映像信号ＰＥＳ、音声信号ＰＥＳを分離し、記録用トランスポート・ストリームを形成する。セクション情報は、番組情報や暗号化情報、オンスクリーン表示（ＯＳＤ）データ等が含まれており、その中の番組情報としては、受信中の番組だけでなく、他の時間、他チャネルの番組情報も含まれているもので、制御部３に供給される。映像信号ＰＥＳは、映像信号復号部５に供給され、映像信号復号部５でその映像信号ＰＥＳを復号し、復号した映像信号を映像合成部８に供給する。音声信号ＰＥＳは、音声信号復号部６に供給され、音声信号復号部６でその音声信号ＰＥＳを復号し、復号した音声信号を音声再生部１０に出力する。記録用トランスポート・ストリームは、記録装置１１に供給され、記録装置１１に記録される。
【００２４】
制御部３は、セクション情報が供給されると、そのセクション情報から番組情報を分離し、分離した番組情報に含まれるチャネル番号、チャネル名、番組名、放送の開始および終了時間、番組のシリーズを表すシリーズ情報、ジャンル情報、番組内容、出演者等の情報が抽出され、抽出されたこれらの情報がオンスクリーン表示信号生成部７に供給される。オンスクリーン表示信号生成部７は、これらの情報に基づいて電子プログラムガイド（ＥＰＧ）を形成し、形成した電子プログラムガイドを映像信号合成部８に供給する。映像信号合成部８は、映像信号復号部５で復号した映像信号と電子プログラムガイドとを合成した出力映像信号を形成し、その出力映像信号を画像表示部９に供給する。この場合、制御部３で抽出された番組情報は、記録装置１１において対応する番組と関連付けて記録される。なお、制御部３は、電源遮断時においてもその記憶内容が保持されるように録画予約メモリ１２を接続配置しているもので、その録画予約メモリ１２に録画予約に関する情報が記録されている。
【００２５】
ここで、この番組録画予約装置の動作として、記録装置１１に記録されている番組を利用者が再生視聴している際の動作を例に挙げて説明する。
【００２６】
制御部３は、記録装置１１において再生番組が指定されると、指定された番組の記録情報を記録装置１１から読み出し、読み出した記録情報を多重信号分離部４に供給する。この時点に、デジタル復調部２、映像信号復号部５、音声信号復号部６、オンスクリーン表示信号生成部７、映像信号合成部８、画像表示部９、音声再生部１０がそれぞれ動作状態になり、読み出した記録情報の映像信号を画像表示部９で表示させ、同記録情報の音声信号を音声再生部１０で再生させる。また、この時点に、放送受信信号供給ライン１を通して供給される放送受信信号も受領し、その放送受信信号から現在の番組情報を抽出する。記録装置１１は、再生視聴中の番組に関連した番組情報を記録しており、制御部３がその番組情報を読み出す。
【００２７】
リモコン１３の操作により関連番組の予約が指示されると、制御部３は、現在の番組情報を用いて、再生視聴中の番組の関連番組を検索する。この場合、関連番組は、番組名が同一の番組、同一ジャンルの番組、同一シリーズの番組、同一キーワードを番組名もしくは番組内容に含む番組、翌日、毎日、翌週あるいは毎週の同一時間帯の同一チャネルの番組、同一出演者が出演する番組等である。そして、制御部３は、再生視聴中の番組の関連番組の検索の結果を画面表示するため、オンスクリーン表示情報をオンスクリーン表示信号生成部７に供給し、オンスクリーン表示信号生成部７で生成したオンスクリーン表示情報を映像信号合成部８を介して出力映像信号の一部として出力し、そのオンスクリーン表示情報を次続の画像表示部９に表示する。利用者は、リモコン装置１３を操作することにより、画像表示部９に表示された一連の関連番組の中から予約したい番組を選択すれば、希望する番組の録画設定の予約を容易に行うことができる。このとき、利用者が希望する関連番組を選択すると、制御部３は、録画設定の予約に必要な情報を録画予約メモリ１２に供給し、そこに記録させる。
【００２８】
ここで、図２は、記録装置１１に記録されている番組を再生視聴しているときの制御部３の動作経緯の一例を示すフローチャートである。
【００２９】
図２に図示されたフローチャートを用い、制御部３の動作経緯について説明すると次の通りである。
【００３０】
まず、ステップＳ１において、制御部３は、各部に動作開始を指示するとともに、再生する番組の番組情報を記録装置１１から読み出す。
【００３１】
次に、ステップＳ２において、制御部３は、関連番組の録画予約が指示されているかどうかを判断する。そして、録画予約が既に指示されていると判断した（Ｙ）ときは次のステップＳ３に移行し、一方、録画予約が未だ指示されていない判断した（Ｎ）ときは他のステップＳ９に移行する。
【００３２】
次いで、ステップＳ３において、制御部３は、再生視聴中の番組の番組情報からキーワードを検索する。
【００３３】
続いて、ステップＳ４において、制御部３は、検索したキーワードを用いて関連番組として抽出しそれぞれの番組を放送開始時刻順に画面表示するように指示する。
【００３４】
続く、ステップＳ５において、制御部３は、利用者により録画予約番組が選択されているか否かを判断する。そして、録画予約番組が既に選択されていると判断した（Ｙ）ときは次のステップＳ６に移行し、一方、録画予約番組が未だ選択されていないと判断した（Ｎ）ときは他のステップＳ７に移行する。
【００３５】
次に、ステップＳ６において、制御部３は、選択された番組の録画予約を設定する。
【００３６】
また、ステップＳ７において、制御部３は、録画予約番組が未だ選択されていないとき、その選択時間として、予め決められた時間を経過したか否かを判断する。そして、予め決められた時間を既に経過していると判断した（Ｙ）ときは次のステップＳ８に移行し、一方、予め決められた時間を未だ経過していないと判断した（Ｎ）ときは前のステップＳ５に戻り、再びステップＳ５以降の動作を繰り返し実行する。
【００３７】
次いで、ステップＳ８において、制御部３は、検索したキーワードを用いて関連番組として抽出しそれぞれの番組を放送開始時刻順に画面表示した内容をクリアする。そして、この画面表示内容がクリアされると、前のステップＳ２に戻り、再びステップＳ２以降の動作を繰り返し実行する。
【００３８】
また、ステップＳ９において、制御部３は、記録装置１１からの読み出し番組情報の再生が終了したか否かを判断する。そして、番組情報の再生が既に終了したと判断した（Ｙ）ときはこの一連の動作を終了させ、一方、番組情報の再生が未だ終了していないと判断した（Ｎ）ときは前のステップＳ２に戻り、再びステップＳ２以降の動作を繰り返し実行する。
【００３９】
図２に図示のフローチャートにおいては、番組表をキーワード検索して関連番組を抽出するようにしているが、番組名が同一の番組、同一ジャンルの番組、同一シリーズの番組、再生中の番組の放送日の翌日、翌週あるいは毎週の同一時間帯、毎日の同一時間帯の同一チャンネルの番組、同一出演者が出演する番組を単独にもしくは組み合わせて抽出するようにしてもよい。また、キーワード検索の結果の表示は、図２に図示のフローチャートで示されるように、放送予定時刻順の表示に限られるものではなく、番組名が一致する番組を先に表示したり、あるいは同一時刻等の時刻を基準にした抽出結果とキーワードで抽出した結果を領域を分割して同時に表示するようにしても構わない。キーワード検索の結果の表示は、表示画面上で画像に重ね合わせて表示する以外に、画像表示サイズを縮小し、それにより形成された空白部分に表示するようにしても構わない。さらに、キーワード検索の結果から予約する番組が選択された場合、あるいは選択する動作が行われた場合に、選択された番組の詳細情報とその番組の関連番組とを表示させるようにしてもよい。
【００４０】
次いで、図３は、記録装置１１に記録されている番組を再生視聴しているときの制御部３の動作経緯の他の一例を示すフローチャートである。
【００４１】
ところで、図２に図示のフローチャートにおいては、リモコン装置１３により関連番組の予約の指示がされた場合に、その関連番組を検索し、必要とする関連番組の予約操作を行うようにしていたが、図３に図示のフローチャートは、予め関連番組を表示する時刻を決めておき、設定されたタイミングで関連番組の予約画面を同時に表示するものである。また、図２に図示のフローチャートにおいては、今後放送される関連番組を番組開始時刻順に表示していたが、図３に図示のフローチャートは、過去に放送された番組や現在放送中の番組も合わせて表示すようにしている。
【００４２】
図２と図３のフローチャートを比較すると、図２の各ステップＳ１乃至ステップＳ９がそれぞれ図３の各ステップＳ１１乃至ステップＳ１９に対応するが、その中で、ステップＳ２とステップＳ１２、ステップＳ３とステップＳ１３、ステップＳ４とステップＳ１４の動作内容は変更されているが、それ以外のステップＳ１とステップＳ１１、ステップＳ５とステップＳ１５、ステップＳ６とステップＳ１６、ステップＳ７とステップＳ１７、ステップＳ８とステップＳ１８、ステップＳ９とステップＳ１９とは、それぞれ動作内容が同じである。このため、以下の説明においては、動作内容が変更されているステップＳ１２、ステップＳ１３、ステップＳ１４の動作についてのみ説明し、それ以外のステップＳ１１、ステップＳ１５乃至ステップＳ１９についての説明は省略する。
【００４３】
図３に図示のフローチャートにおいて、まず、ステップＳ１１の動作内容は、既に述べたステップＳ１の動作内容と同じである。
【００４４】
次に、ステップＳ１２において、制御部３は、再生を開始してから予め設定した時間が経過したか否かを判断する。そして、予め設定した時間が既に経過していると判断した（Ｙ）ときは次のステップＳ１３に移行し、予め設定した時間が未だ経過していないと判断した（Ｎ）ときは他のステップＳ１９に移行する。
【００４５】
次いで、ステップＳ１３において、制御部３は、過去、現在、未来の関連番組をキーワード検索する。
【００４６】
続いて、ステップＳ１４において、制御部３は、キーワード検索の結果、過去の関連番組、現在放送中の関連番組、今後放送される関連番組のそれぞれを色分けして画面表示するように指示する。
【００４７】
この後、ステップＳ１５乃至のステップＳ１９の動作内容は、既に述べたステップＳ５乃至ステップＳ９の動作内容と同じである。
【００４８】
また、図４は、本発明に係る番組録画予約装置の第２の実施の形態の要部構成を示すブロック図である。
【００４９】
図１に図示の第１の実施の形態の番組録画予約装置においては、デジタル放送受信信号に重畳されている番組情報を利用しているが、図４に図示の第２の実施の形態の番組録画予約装置においては、アナログ放送受信信号に含まれる番組情報やインターネットによって配信される番組情報も合わせて利用しているものである。
【００５０】
この第２の実施の形態の番組録画予約装置は、第１の実施の形態の番組録画予約装置に使用される構成要素に加えて、アナログチューナ１４と、ＬＡＮインターフェース１５とが用いられている。なお、図４に図示の構成要素の中で、図１に図示の構成要素と同じ構成要素については同じ符号を付し、それらの構成要素は、図１に図示の対応する構成要素の機能と同じ機能を果たすものであるので、ここではそれらの構成要素についての説明は省略する。
【００５１】
図４に示されるように、アナログチューナ１４は、入力端がアナログ放送受信信号供給ライン１６に接続され、出力端が制御部３に接続される。また、ＬＡＮインターフェース１５は、一端がＬＡＮ接続回線１７に接続され、他端が制御部３に接続される。
【００５２】
この場合、アナログチューナ１４は、アナログ放送受信信号供給ライン１６から供給されるアナログ放送受信信号からその中に含まれる番組情報を抽出し、抽出した番組情報を制御部３に供給する。また、ＬＡＮインターフェース１５は、インターネットによって配信される番組情報をＬＡＮ接続回線１７を通して受領し、受領した番組情報からパケットを抜き出し、抜き出したパケットを制御部３に供給する。制御部３は、これらの番組情報を受けると、デジタル放送受信信号に含まれている番組情報とともに、これらの複数の番組情報から、記録装置１１に記録する番組情報を抽出し、抽出した番組情報を対応する番組に関連付けて記録する。また、関連番組の録画予約をする際には、再生視聴中の番組に関連する情報を複数の番組情報から抽出し、抽出した番組情報に基づいた録画予約が行われる。
【００５３】
なお、図１及び図４に図示の発明の実施の形態においては、リモコン装置１３の形状やボタン配置等の構造に関する記載がないが、リモコン装置のいずれかのボタンを関連番組一覧表を表示するためのボタンになるように割り当て設定しておけば、利用者は記録されている番組の再生視聴をしながら、任意の時間に当該ボタンを操作すれば、その番組の関連番組を表示させることが可能になり、関連番組の録画予約を簡単に行うことができる。
【００５４】
また、図１及び図４に図示の発明の実施の形態においては、録画予約した際の予約内容を録画予約メモリ１２に記録していたが、録画予約時に録画予約メモリ１２を使用することは必ずしも必要でなく、制御部３の内蔵メモリを録画予約メモリ１２の代りに用いるようにしてもよい。
【００５５】
さらに、図１及び図４に図示の発明の実施の形態においては、利用者による指示をリモコン装置１３の操作によって行うようにしていたが、この番組録画予約装置に備え付けのボタンがある場合、そのボタンを用いて指示したり、インターネットを介して指示するように構成変更することもできる。
【図面の簡単な説明】
【００５６】
【図１】本発明に係る番組録画予約装置の第１の実施の形態の要部構成を示すブロック図である。
【図２】記録装置に記録されている番組を再生視聴しているときの制御部の動作経緯の一例を示すフローチャートである。
【図３】記録装置に記録されている番組を再生視聴しているときの制御部の動作経緯の他の一例を示すフローチャートである。
【図４】本発明に係る番組録画予約装置の第２の実施の形態の要部構成を示すブロック図である。
【符号の説明】
【００５７】
１  放送受信信号供給ライン
２  デジタル放送復調部
３  制御部（ＣＰＵ）
４  多重信号分離部
５  映像信号複号部
６  音声信号複号部
７  オンスクリーン表示信号生成部（ＯＳＤ生成部）
８  映像信号合成部
９  画像表示部
１０  音声再生部
１１  記録装置
１２  録画予約メモリ
１３  リモコン装置
１４  アナログチューナ
１５  ＬＡＮインターフェース
１６  アナログ放送受信信号供給ライン
１７  ＬＡＮ接続回線
【図１】
2006174367.tif 000003
【図２】
2006174367.tif 000004
【図３】
2006174367.tif 000005
【図４】
2006174367.tif 000006